(57)【特許請求の範囲】
【請求項１】
記録媒体を挿入可能な第１の記録媒体スロットと、
記録媒体を挿入可能な第２の記録媒体スロットと、
回動することで、前記第１の記録媒体スロットを覆う閉状態と前記第１の記録媒体スロットを露出させる開状態になる第１の蓋部材と、
回動することで、前記第２の記録媒体スロットを覆う閉状態と前記第２の記録媒体スロットを露出させる開状態になる第２の蓋部材と、
前記第１の記録媒体スロットと前記第２の記録媒体スロットとを並べて固定するとともに、前記第１の蓋部材および前記第２の蓋部材が両開き構造となるように前記第１の蓋部材および前記第２の蓋部材を支持する固定部材と、
を有し、
前記第１の蓋部材には、前記第１の蓋部材が前記閉状態となるときに、前記固定部材の前記第１の記録媒体スロットと前記第２の記録媒体スロットとの間となる領域と接触する第１のリブが形成され、
前記第２の蓋部材には、前記第２の蓋部材が前記閉状態となるときに、前記固定部材の前記第１の記録媒体スロットと前記第２の記録媒体スロットとの間となる領域と接触する第２のリブが形成されることを特徴とする電子機器。
【請求項２】
前記第１のリブは、前記第１の蓋部材が前記開状態となるときに、前記第１の記録媒体スロットへの前記記録媒体の挿入を案内する形状に形成され、
前記第２のリブは、前記第２の蓋部材が前記開状態となるときに、前記第２の記録媒体スロットへの前記記録媒体の挿入を案内する形状に形成されることを特徴とする請求項１に記載の電子機器。
【請求項３】
前記第１のリブは、前記記録媒体が前記第１の記録媒体スロットに不完全に挿入されている場合に、前記第１の蓋部材を前記開状態から前記閉状態に回動させることで、前記第１の記録媒体スロットに不完全に挿入されている前記記録媒体に当接するように形成され、
前記第２のリブは、前記記録媒体が前記第２の記録媒体スロットに不完全に挿入されている場合に、前記第２の蓋部材を前記開状態から前記閉状態に回動させることで、前記第２の記録媒体スロットに不完全に挿入されている前記記録媒体に当接するように形成されることを特徴とする請求項１または２に記載の電子機器。
【請求項４】
前記第１の記録媒体スロットは、前記第１の記録媒体スロットに挿入される記録媒体をイジェクトするものであって、前記第１の記録媒体スロットに対して突出状態と退避状態になる第１のイジェクタを有し、
前記第１のリブは、前記第１のイジェクタが前記突出状態となる場合に、前記第１の蓋部材を前記開状態から前記閉状態に回動させることで、前記突出状態となる前記第１のイジェクタに当接するように形成され、
前記第２の記録媒体スロットは、前記第２の記録媒体スロットに挿入される記録媒体をイジェクトするものであって、前記第２の記録媒体スロットに対して突出状態と退避状態になる第２のイジェクタを有し、
前記第２のリブは、前記第２のイジェクタが前記突出状態となる場合に、前記第２の蓋部材を前記開状態から前記閉状態に回動させることで、前記突出状態となる前記第２のイジェクタに当接するように形成されることを特徴とする請求項１ないし３のいずれか一項に記載の電子機器。
【請求項５】
前記第１の蓋部材を前記開状態となるように付勢するとともに、前記第２の蓋部材を前記開状態となるように付勢する付勢部材を有し、
前記付勢部材は一方端が前記第１の蓋部材に把持されるとともに、他方端が前記第２の蓋部材に把持されることを特徴とする請求項１ないし４のいずれか一項に記載の電子機器。
【請求項６】
前記付勢部材は第１のコイル部、第２のコイル部および前記第１のコイル部と前記第２のコイル部とを接続する接続部を有し、前記付勢部材をＵ字形状とすることを特徴とする請求項５に記載の電子機器。
【発明の詳細な説明】
【技術分野】
【０００１】
本発明は、電子機器に関し、特にメモリカードなどの記録媒体が挿入されるカードスロットを蓋部材で覆う電子機器に関する。
【背景技術】
【０００２】
メモリカードなどの記録媒体が挿入されるカードスロットを蓋部材で覆うデジタルカメラなどの電子機器が知られている。（特許文献１参照）
このようなデジタルカメラは記録可能枚数もしくは記録可能時間を増加させるために複数のメモリカードを挿入できるように、複数のカードスロットを設けられている。そして、複数のカードスロットをそれぞれ覆うために複数の蓋部材を設けている。
【先行技術文献】
【特許文献】
【０００３】
【特許文献１】特開２００２−２８４２０９号公報
【発明の概要】
【発明が解決しようとする課題】
【０００４】
複数のカードスロットに対して、それぞれ蓋部材を設けることで機器が大型化してしまうという課題がある。この課題に対して、回動することで開閉する蓋部材を両開き（観音開き）となるように配置することで、機器の表面で蓋部材が占める面積を小さくことが考えられる。
【０００５】
しかしながら、蓋部材を両開きとなるように構成する場合には、蓋部材が閉状態となるときに中央部付近に外力を受けると蓋部材が変形したり破損したりするという問題がある。
【０００６】
そこで、本発明は、両開きの蓋部材が閉状態となるときに外力に対して優れた強度を有する電子機器を提供することを例示的な目的とする。
【課題を解決するための手段】
【０００７】
本発明の電子機器は、記録媒体を挿入可能な第１の記録媒体スロットと、記録媒体を挿入可能な第２の記録媒体スロットと、回動することで、前記第１の記録媒体スロットを覆う閉状態と前記第１の記録媒体スロットを露出させる開状態になる第１の蓋部材と、回動することで、前記第２の記録媒体スロットを覆う閉状態と前記第２の記録媒体スロットを露出させる開状態になる第２の蓋部材と、前記第１の記録媒体スロットと前記第２の記録媒体スロットとを並べて固定するとともに、前記第１の蓋部材および前記第２の蓋部材が両開き構造となるように前記第１の蓋部材および前記第２の蓋部材を支持する固定部材とを有し、前記第１の蓋部材には、前記第１の蓋部材が前記閉状態となるときに、前記固定部材の前記第１の記録媒体スロットと前記第２の記録媒体スロットとの間となる領域と接触する第１のリブが形成され、前記第２の蓋部材には、前記第２の蓋部材が前記閉状態となるときに、前記固定部材の前記第１の記録媒体スロットと前記第２の記録媒体スロットとの間となる領域と接触する第２のリブが形成されることを特徴とする。
【発明の効果】
【０００８】
本発明によれば、両開きの蓋部材が閉状態となるときに外力に対して優れた強度を有する電子機器を提供することができる。
【図面の簡単な説明】
【０００９】
【図１】本実施例の電子機器の分解斜視図である。
【図２】蓋部材が開状態から閉状態に推移するときのロック部材４０１と４０２近傍の上面図である。
【図３】蓋部材２０１、２０２が開状態または閉状態となるときの電子機器の斜視図である。
【図４】蓋部材２０１、２０２が開状態または閉状態となるときの電子機器の部分断面図である。
【図５】蓋部材２０１、２０２が開状態または閉状態となるときの電子機器の部分上面図である。
【図６】記録媒体もしくはイジェクタが突出している場合に、蓋部材２０１、２０２を閉めようとしたときの電子機器の斜視図である。
【図７】記録媒体やイジェクタが突出している場合に、蓋部材２０１、２０２を閉めたようとしたときの電子機器の部分断面図である。
【発明を実施するための形態】
【００１０】
図１は、本実施例の電子機器１の分解斜視図であり、図１（ａ）は外面側、図１（ｂ）は内面側を示している。電子機器１は、不図示の筐体の一部を構成する固定部材（本体部）１００と、固定部材１００に固定される蓋部材２０１、２０２と、ロック部材４０１、４０２と、押さえ部材６００と、記録媒体スロット７０１、７０２と、を有する。蓋部材２０１が本発明の第１の蓋部材に相当し、蓋部材２０２が本発明の第２の蓋部材に相当する。記録媒体スロット７０１が本発明の第１の記録媒体スロットに相当し、記録媒体スロット７０２が本発明の第２の記録媒体スロットに相当する。記録媒体スロット７０１、７０２にはそれぞれ記録媒体が挿入可能である。蓋部材２０１、２０２には付勢部材３００が取り付けられている。ロック部材４０１には付勢部材５０１が取り付けられており、ロック部材４０２には付勢部材５０２が取り付けられている。なお、蓋部材の数は限定されず、１つでも３つ以上でもよい。
【００１１】
固定部材１００には、不図示の各種の電子部品が取り付けられる。また、固定部材１００は、二対の軸受け１２１、１２２、一対の記録媒体開口１７１、１７２、つまみ開口１４１、１４２が形成される。また、固定部材１００には、蓋部材を開状態から閉状態に回動するときに、ユーザが指を掛け易くするための、指係り開口１４３と指係り開口１４４が形成される。記録媒体スロット７０１、７０２はそれぞれ記録媒体開口１７１、１７２に対応するように、並べられて固定部材１００に固定される。そして、固定部材１００は、蓋部材２０１、２０２が両開き構造となるように、蓋部材２０１、２０２を支持する。
【００１２】
記録媒体開口１７１、１７２は離間して形成され、固定部材１００には、記録媒体開口１７１と記録媒体開口１７２の間となる領域１２０が形成される。
【００１３】
蓋部材２０１は、固定部材１００に対して回動可能に支持され、固定部材１００に対して回動することで、記録媒体開口１７１を覆う閉状態と記録媒体開口１７１を露出する開状態になるよう構成されている。
【００１４】
蓋部材２０１は、軸受け１２１と係合し、固定部材１００に対して回転するために上面と底面に突出する一対の軸２１１を有し、一方の軸の根元に、付勢部材３００が取り付けられるコイルバネ係合部２３１を有する。また、蓋部材２０１は、ロック部材４０１と当接し、閉状態を保持するための当て面２４１と、付勢部材３００が取り付けられる断面Ｕ字形状のバネ腕把持部２３３を有する。
【００１５】
また、蓋部材２０１はその内壁の一方の縁部に一又は複数のリブ２１３を有するが、リブ２１３の位置は縁部よりも内側（中心側）であってもよい。リブ２１３は本発明の第１のリブに相当する。リブ２１３は蓋部材２０１が閉状態となるときに固定部材１００の領域１２０と接触可能に構成されている。リブ２１３は、蓋部材２０１が閉状態から開状態となるときに、記録媒体９０１やイジェクタ７１１が突出していた場合、これらが接触する当て面２７１を有する。また、蓋部材２０１は、開状態から閉状態となるときに、ロック部材４０１と摺動する摺動面２４３を有する。
【００１６】
蓋部材２０２も、同様に、固定部材１００に対して回動可能に支持され、固定部材１００に対して回動することで、記録媒体開口１７２を覆う閉状態と記録媒体開口１７２を露出する開状態になるよう構成されている。
【００１７】
蓋部材２０２は、軸受け１２２と係合し、固定部材１００に対して回転するために上面と底面に突出する一対の軸２１２を有し、一方の軸の根元に、付勢部材３００が取り付けられるコイルバネ係合部２３２を有する。また、蓋部材２０２は、ロック部材４０２と当接し、閉状態を保持するための当て面２４２と、付勢部材３００が取り付けられる断面Ｕ字形状のバネ腕把持部２３４を有する。
【００１８】
また、蓋部材２０２はその内壁の一方の縁部に一又は複数のリブ２１４を有するが、リブ２１４の位置は縁部よりも内側（中心側）であってもよい。リブ２１４は本発明の第２のリブに相当する。リブ２１４は蓋部材２０２が閉状態となるときに固定部材１００の領域１２０と接触可能に構成されている。リブ２１４は、蓋部材２０２が閉状態から開状態となるときに、記録媒体９０２やイジェクタ７１２が突出していた場合、これらが接触する当て面２７２を有する。また、蓋部材２０２は、開状態から閉状態となるときに、ロック部材４０２と摺動する摺動面２４４を有する。
蓋部材２０２は、蓋部材２０１と隣接し、両蓋部材２０１、２０２は両開き構造によって開閉する。
【００１９】
付勢部材３００は、ねじりコイルバネであり、一対の蓋部材２０１、２０２に共通に使用され、一対の蓋部材２０１、２０２を開き方向（閉状態から開状態の方向）に付勢している。このように、本実施例は、一対の蓋部材２０１、２０２に対して単一の共通の付勢部材３００を使用し、別々の付勢部材を設けるよりも部品点数を削減し、構造を単純にしている。
【００２０】
付勢部材３００は、コイル部３２１、３２２、腕部３２３、３２４、３３０を有する。
【００２１】
第１のコイル部としてのコイル部３２１は、コイルバネ係合部２３１と係合し、第２のコイル部としてのコイル部３２２は、コイルバネ係合部２３２と係合する。
【００２２】
腕部３２３は、付勢部材３００の一方端に形成されてバネ腕把持部２３３に係合し、腕部３２４は、付勢部材３００の他方端に形成されてバネ腕把持部２３４に係合し、蓋部材２０１、２０２を開方向に付勢する。腕部３３０は、コイル部３２１とコイル部３２２を接続する接続部であり、付勢部材３００を一体にし、直線形状ではなくＵ字形状を有する。Ｕ字形状による変形により、部品のばらつきによりコイル部３２１とコイル部３２２の寸法が設計値からずれていてもコイル部間の距離を調整することができ、組み込み不良を抑えることができる。
【００２３】
ロック部材４０１は、蓋部材２０１を開口するためのつまみ部４１１を有する。また、蓋部材２０１が閉状態を保持するために、ロック部材４０１は蓋部材２０１と当接する当て面４２１を有する。また、ロック部材４０１は付勢部材と係合する係合軸４５１と、蓋部材２０１と摺動する、呼び込み形状４２３を有する。
【００２４】
図２は、蓋部材が開状態から閉状態に推移するときのロック部材４０１と４０２近傍の上面図である。
【００２５】
呼び込み形状４２３の呼び込み角度４２５は大きくなるほど、蓋部材２０１を閉めるときの荷重は小さくなって蓋部材２０１が閉まり易くなるが、当て面４２１の掛かり量が小さくなってロックが外れ易くなる。反対に、呼び込み形状４２３の呼び込み角度４２５が小さくなるほど、蓋部材２０１を閉じるときの荷重は大きくなって蓋部材２０１が閉まり難くなるが、当て面４２１の掛かり量は大きくなってロックが外れ難くなる。
【００２６】
本実施例は、蓋部材の閉め易さとロックの外れ難さを両立するために、呼び込み形状４２３を、ロック部材４０１と押さえ部材６００との摺動面４２７から突出させている。
【００２７】
ロック部材４０２は、同様の理由で、つまみ部４１２、当て面４２２、係合軸４５２、呼び込み形状４２４、呼び込み角度４２６、摺動面４２８を有する。
【００２８】
付勢部材５０１は、圧縮バネである。コイル部５４１がロック部材４０１の係合軸４５１に係合し、ロック部材４０１を蓋部材２０１側に付勢する。付勢部材５０２は、同様の理由で、コイル部５４２を有する。
【００２９】
押さえ部材６００は、軸２１１が軸受け１２１から浮くことを防止する軸押さえ部６２１と、軸２１２が軸受け１２２から浮くことを防止する軸押さえ部６２２と、蓋部材２０１を収納する収納部６２３と、蓋部材２０２を収納する収納部６２４と、を有する。
【００３０】
収納部６２３は、蓋部材２０１が開状態となるときに蓋部材２０１の少なくとも一部を収納し、収納部６２４は、蓋部材２０２が開状態となるときに蓋部材２０２の少なくとも一部を収納する。
【００３１】
また、押さえ部材６００は、ロック部材４０１が固定部材１００から浮くことを防止するロック押さえ部６４１と、ロック部材４０２が固定部材１００から浮くことを防止するロック押さえ部６４２と、を更に有する。
【００３２】
記録媒体スロット７０１には記録媒体９０１が挿抜され（即ち、挿入及びイジェクトされ）、電子機器１には挿入された記憶媒体９０１に対して記録または再生を行う不図示のリーダまたはライタが設けられている。
【００３３】
記録媒体スロット７０１は、記録媒体スロット７０１の本体部に対して突出状態または退避状態となるように構成されたイジェクタ７１１を有する。イジェクタ７１１は本発明の第１のイジェクタに相当する。イジェクタ７１１を押すことによって、記録媒体挿抜部７０１に挿入された記録媒体９０１が飛び出し（イジェクトされ）、ユーザは、記録媒体９０１を指で掴んで取り出すことができる。イジェクタ７１１を、ロック部材４０１の近傍に配置することで、蓋部材２０１の開口動作から記録媒体９０１の取り出し動作までを円滑に行うことができる。
【００３４】
記録媒体スロット７０２は、記録媒体スロット７０２の本体部に対して突出状態または退避状態となるように構成されたイジェクタ７１２を有する。イジェクタ７１２は本発明の第２のイジェクタに相当する。イジェクタ７１２を押すことによって、記録媒体挿抜部７０２に挿入された記録媒体９０２が飛び出し（イジェクトされ）、ユーザは、記録媒体９０２を指で掴んで取り出すことができる。イジェクタ７１２を、ロック部材４０２の近傍に配置することで、蓋部材２０２の開口動作から記録媒体９０２の取り出し動作までを円滑に行うことができる。
【００３５】
電子機器の組み立て時には、図１中に示す矢印方向に従い、付勢部材３００を蓋部材２０１と蓋部材２０２に取り付けた状態で固定部材１００に固定する。付勢部材３００を両蓋部材２０１、２０２に取り付けて組むことができるので組み立て工数を少なくすることができる。
【００３６】
続いて、付勢部材５０１が取り付けられたロック部材４０１と、付勢部材５０２が取り付けられたロック部材４０２とを、固定部材１００に固定する。続いて、押さえ部材６００を固定部材１００に固定する。
【００３７】
このとき、軸受け１２１と軸２１１、及び軸受け１２２と軸２１２はそれぞれ係合し、ロック部材４０１、４０２と、固定部材１００と、押さえ部材６００とは摺接する。最後に、記録媒体スロット７０１と、記録媒体スロット７０２を並べて固定部材１００に固定する。
【００３８】
図３（ａ）は、蓋部材２０１、２０２が閉状態となるときの電子機器の斜視図であり、図３（ｂ）は蓋部材２０１、２０２が開状態となるときの電子機器の斜視図である。また、図４（ａ）は、蓋部材２０１、２０２が閉状態となるときの電子機器１の部分断面図であり、図４（ｂ）は、蓋部材２０１、２０２が開状態となるときの電子機器１の部分断面図である。また、図５（ａ）は、蓋部材２０１、２０２が閉状態となるときの電子機器１の部分上面図であり、図５（ｂ）は、蓋部材２０１、２０２が開態となるときの電子機器１の部分上面図である。
【００３９】
図３（ａ）、図４（ａ）、図５（ａ）においては、蓋部材２０１は、付勢部材３００により、開き方向に付勢され、ロック部材４０１の当て面４２１に当接することで閉状態を保持している。ロック部材４０１は、付勢部材５０１により蓋部材２０１側に付勢されている。
【００４０】
ユーザが、つまみ部４１１を付勢されている方向とは逆方向に摺動させることで蓋部材２０１のロックが解除され、蓋部材２０１は軸２１１を中心に回動して、図３（ｂ）、図４（ｂ）、図５（ｂ）に示すように、開状態となる。開状態において、ユーザは、指係り開口１４３で蓋部材２０１に指をかけ、蓋部材２０１を閉状態に移動することが可能である。
【００４１】
なお、蓋部材２０２の動作も同様である。
【００４２】
図４（ａ）に示すように、蓋部材２０１、２０２が閉状態となるときは、固定部材１００の領域１２０と両蓋部材のリブ２１３、２１４とは近接して接触可能な位置に配置される。蓋部材２０１、２０２が閉状態となるときに外力を受けるとリブ２１３と２１４が固定部材１００の領域１２０に接触して外力が分散されるため、蓋部材２０１、２０２が変形したり破損したりする可能性を低減することができる。
【００４３】
また、図４（ｂ）に示すように、蓋部材２０１が開状態となるときは、蓋部材２０１の内壁と押さえ部材６００に挟まれた領域（図４（ｂ）に示す幅Ｗを有する領域）に、蓋部材２０１の回動軌跡分の空間（図４（ｂ）のハッチングされている空間Ｓ）が発生する。
【００４４】
リブ２１３がなければ、この空間が露出しているので、この空間にユーザが誤って記録媒体９０１を差し込むおそれがある。そこで、リブ２１３によって、この空間の入口を覆うことによってユーザが誤って記録媒体を差し込むことを防止することができる。また、蓋部材２０１が開状態となるときに、リブ２１３には、蓋部材２０１が開状態となるときに、蓋部材２０１の先端から記録媒体スロット７０１へ向かう斜面が形成されている。これによって、リブ２１３は、記録媒体スロット７０１への記録媒体９０１の挿入を案内する。蓋部材２０２のリブ２１４も同様に、記録媒体スロット７０２への記録媒体９０２の挿入が案内される。
【００４５】
なお、リブ２１３は、蓋部材２０１が開状態となるときに記録媒体９０１が蓋部材２０１と収納部６２３との間に形成される空間に挿入されないようにこの空間を狭めれば足り、必ずしもこの空間の入口を覆う必要はない。
【００４６】
本実施例では、蓋部材２０１が開状態となるときにリブ２１３は収納部６１３において領域１２０よりも外側に配置されている。リブ２１３が領域１２０よりも内側に配置されていれば、蓋部材２０１の回転時にリブ２１３が固定部材１１０や押さえ部材６００と衝突して蓋部材２０１の円滑な開閉が妨げられるおそれがあるため、本実施例の構成は好ましい。
【００４７】
また、リブ２１３は図４の紙面に垂直な方向に三角形状のリブを連続した形状ではなく、ユーザが途中の部分に指を入れることができるように三角形状のリブが図４の紙面に垂直な方向に離散的に複数形成されている。図４の紙面に垂直な方向は蓋部材２０１、２０２が回転する回転軸（軸２１１、２１２）に平行な方向である。
【００４８】
これによって、ユーザが指の入る空間が広くなるので記録媒体の挿抜の操作性が向上する。なお、複数の連続しないリブの間隔は、記録媒体の幅よりも狭くする必要がある。また、リブ２１３の数は一つでもよい。蓋部材２０２のリブ２１４の効果も同様である。
【００４９】
図６は、記録媒体もしくはイジェクタが突出している場合に、蓋部材２０１、２０２を閉めようとしたときの電子機器１の斜視図である。図７は、記録媒体やイジェクタが突出している場合に、蓋部材２０１、２０２を閉めたようとしたときの電子機器１の断面図である。
【００５０】
蓋部材２０１、２０２が閉状態から開状態となるときに記録媒体９０１や９０２やイジェクタ７１１や７１２が突出していた場合、リブ２１３、２１４の当て面２７１や２７２に記録媒体やイジェクタが接触し、蓋部材２０１、２０２が閉まることを防止する。
【００５１】
即ち、リブ２１３、２１４は、記録媒体が記録媒体挿抜部７０１、７０２に不完全に挿入されている状態で蓋部材２０１、２０２を開状態から閉状態に回動させようとすると記録媒体に接触して蓋部材が閉状態に回動することを妨げる。同様に、リブ２１３、２１４は、イジェクタ７１１、７１２が突出した状態で、蓋部材２０１、２０２を開状態から閉状態に回動させようとするとイジェクタと接触して蓋部材が閉状態に回動することが妨げられる。これにより、記録媒体との通信障害やイジェクタが蓋部材に引っ掛かることを防止することができる。
【００５２】
なお、本実施例では、記録媒体が挿抜可能に構成されているが、挿抜される対象は記録媒体に限定されず、ＵＳＢなどのコネクタなどの電子部品であれば足りる。
【００５３】
以上、本発明の好ましい実施形態について説明したが、本発明はこれらの実施形態に限定されず、その要旨の範囲内で種々の変形及び変更が可能である。
【産業上の利用可能性】
【００５４】
本実施例の電子機器は電子部品を挿抜可能に使用する電子機器に適用することができる。
【符号の説明】
【００５５】
１                    電子機器
１００                固定部材
１２０                領域
２０１、２０２        蓋部材
２１３、２１４        リブ
６２３、６２４        収納部
７０１、７０２        記録媒体スロット
７１１、７１２        イジェクタ
９０１、９０２        記録媒体
【図１】
0005541714.tif 000002
【図２】
0005541714.tif 000003
【図３】
0005541714.tif 000004
【図４】
0005541714.tif 000005
【図５】
0005541714.tif 000006
【図６】
0005541714.tif 000007
【図７】
0005541714.tif 000008